【手続補正書】
【提出日】平成24年6月11日(2012.6.11)
【手続補正１】
【補正対象書類名】明細書
【補正対象項目名】発明の名称
【補正方法】変更
【補正の内容】
【発明の名称】ファクシミリ装置、ファクシミリ装置の制御方法及びプログラム
【手続補正２】
【補正対象書類名】明細書
【補正対象項目名】０００１
【補正方法】変更
【補正の内容】
【０００１】
本発明は、例えば、通信制御プロトコルとしてＳＩＰ（Ｓｅｓｓｉｏｎ  ＩｎｉｔｉａｔｉｏｎＰｒｏｔｏｃｏｌ）を用いてデータの通信を行うファクシミリ装置、ファクシミリ装置の制御方法及びプログラムに関する。
【手続補正３】
【補正対象書類名】明細書
【補正対象項目名】０００８
【補正方法】変更
【補正の内容】
【０００８】
そこで、本発明は、データ送信中にエラーが発生した後、データ送信を再開する前に、転送設定がなされた場合において、データを受信した端末のユーザが混乱するのを防止することができるファクシミリ装置、ファクシミリ装置の制御方法及びプログラムを提供することを目的とする。
【手続補正４】
【補正対象書類名】明細書
【補正対象項目名】０００９
【補正方法】変更
【補正の内容】
【０００９】
上記目的を達成するために、本発明のファクシミリ装置は、ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、画像データの送信中にエラーが発生した後、送信を再開するまでの間に転送設定がなされたか否かを判断する判断手段と、前記判断手段による判断の結果、エラーが発生した後、送信を再開するまでの間に転送設定がなされたと判断されたときは、先頭頁から送信を再開し、エラーが発生した後、送信を再開するまでの間に転送設定がなされていないと判断されたときは、送信が完了した頁の次の頁から送信を再開する制御手段と、を備えることを特徴とする。
上記目的を達成するために、本発明のファクシミリ装置は、ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、画像データの送信中にエラーが発生した後、送信を再開するために取得したアドレス情報が、エラー発生前の通信相手のアドレス情報と一致するか否かを判断する判断手段と、前記判断手段による判断の結果、送信を再開するために取得したアドレス情報が、エラー発生前の通信相手のアドレス情報と一致すると判断されたときは、送信が完了した頁の次の頁から送信を再開し、送信を再開するために取得したアドレス情報が、エラー発生前の通信相手のアドレス情報と一致しないと判断されたときは、先頭頁から送信を再開する制御手段と、を備えることを特徴とする。
上記目的を達成するために、本発明のファクシミリ装置は、ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、画像データの送信中にエラーが発生した後、送信を再開するためにアドレス情報を取得する取得手段と、前記取得手段が取得したアドレス情報が示す通信相手に、送信が完了した頁の次の頁から送信を再開する制御手段と、前記取得手段が取得したアドレス情報が、エラー発生前の通信相手のアドレス情報と一致するか否かを判断する判断手段と、前記判断手段による判断の結果、前記取得手段が取得したアドレス情報が、エラー発生前の通信相手のアドレス情報と一致しないと判断された場合に、前記取得手段が取得したアドレス情報が示す通信相手に対して、前半の頁が別の装置に送信された旨を通知する第１の通知手段と、前記判断手段による判断の結果、前記取得手段が取得したアドレス情報が、エラー発生前の通信相手のアドレス情報と一致しないと判断された場合に、エラー発生前の通信相手に対して後半の頁が別の装置に送信された旨を通知する第２の通知手段と、を備えることを特徴とする。
上記目的を達成するために、本発明のファクシミリ装置は、ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、画像データの送信中にエラーが発生した後、送信を再開するためにアドレス情報を取得する取得手段と、前記取得手段が取得したアドレス情報が、エラー発生前の通信相手のアドレス情報と一致するか否かを判断する判断手段と、前記判断手段による判断の結果、前記取得手段が取得したアドレス情報が、エラー発生前の通信相手のアドレス情報と一致しないと判断された場合に、エラー発生前の通信相手に対して送信が完了した頁の次の頁から送信を再開するとともに、前記取得手段が取得したアドレス情報が示す通信相手に対して所定の通知を行うよう制御する制御手段と、を備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、
画像データの送信中にエラーが発生した後、送信を再開するまでの間に転送設定がなされたか否かを判断する判断手段と、
前記判断手段による判断の結果、エラーが発生した後、送信を再開するまでの間に転送設定がなされたと判断されたときは、先頭頁から送信を再開し、エラーが発生した後、送信を再開するまでの間に転送設定がなされていないと判断されたときは、送信が完了した頁の次の頁から送信を再開する制御手段と、
を備えることを特徴とするファクシミリ装置。
【請求項２】
前記判断手段による判断の結果、エラーが発生した後、送信を再開するまでの間に転送設定がなされたと判断されたときに、エラー発生前の通信相手に対して所定の通知を行う通知手段を更に備えることを特徴とする請求項１に記載のファクシミリ装置。
【請求項３】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、
画像データの送信中にエラーが発生した後、送信を再開するために取得したアドレス情報が、エラー発生前の通信相手のアドレス情報と一致するか否かを判断する判断手段と、
前記判断手段による判断の結果、送信を再開するために取得したアドレス情報が、エラー発生前の通信相手のアドレス情報と一致すると判断されたときは、送信が完了した頁の次の頁から送信を再開し、送信を再開するために取得したアドレス情報が、エラー発生前の通信相手のアドレス情報と一致しないと判断されたときは、先頭頁から送信を再開する制御手段と、
を備えることを特徴とするファクシミリ装置。
【請求項４】
前記判断手段による判断の結果、送信を再開するために取得したアドレス情報が、エラー発生前の通信相手のアドレス情報と一致しないと判断されたときに、エラー発生前の通信相手に対して所定の通知を行う通知手段を更に備えることを特徴とする請求項３に記載のファクシミリ装置。
【請求項５】
通信相手のアドレス情報をＳＩＰサーバから取得する取得手段を更に備えることを特徴とする請求項１から４のいずれか１項に記載のファクシミリ装置。
【請求項６】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、
画像データの送信中にエラーが発生した後、送信を再開するためにアドレス情報を取得する取得手段と、
前記取得手段が取得したアドレス情報が示す通信相手に、送信が完了した頁の次の頁から送信を再開する制御手段と、
前記取得手段が取得したアドレス情報が、エラー発生前の通信相手のアドレス情報と一致するか否かを判断する判断手段と、
前記判断手段による判断の結果、前記取得手段が取得したアドレス情報が、エラー発生前の通信相手のアドレス情報と一致しないと判断された場合に、前記取得手段が取得したアドレス情報が示す通信相手に対して、前半の頁が別の装置に送信された旨を通知する第１の通知手段と、
前記判断手段による判断の結果、前記取得手段が取得したアドレス情報が、エラー発生前の通信相手のアドレス情報と一致しないと判断された場合に、エラー発生前の通信相手に対して後半の頁が別の装置に送信された旨を通知する第２の通知手段と、
を備えることを特徴とするファクシミリ装置。
【請求項７】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置であって、
画像データの送信中にエラーが発生した後、送信を再開するためにアドレス情報を取得する取得手段と、
前記取得手段が取得したアドレス情報が、エラー発生前の通信相手のアドレス情報と一致するか否かを判断する判断手段と、
前記判断手段による判断の結果、前記取得手段が取得したアドレス情報が、エラー発生前の通信相手のアドレス情報と一致しないと判断された場合に、エラー発生前の通信相手に対して送信が完了した頁の次の頁から送信を再開するとともに、前記取得手段が取得したアドレス情報が示す通信相手に対して所定の通知を行うよう制御する制御手段と、
を備えることを特徴とするファクシミリ装置。
【請求項８】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置の制御方法であって、
画像データの送信中にエラーが発生した後、送信を再開するまでの間に転送設定がなされたか否かを判断する判断ステップと、
前記判断ステップによる判断の結果、エラーが発生した後、送信を再開するまでの間に転送設定がなされたと判断されたときは、先頭頁から送信を再開し、エラーが発生した後、送信を再開するまでの間に転送設定がなされていないと判断されたときは、送信が完了した頁の次の頁から送信を再開する制御ステップと、
を備えることを特徴とするファクシミリ装置の制御方法。
【請求項９】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置の制御方法であって、
画像データの送信中にエラーが発生した後、送信を再開するために取得したアドレス情報が、エラー発生前の通信相手のアドレス情報と一致するか否かを判断する判断ステップと、
前記判断ステップによる判断の結果、送信を再開するために取得したアドレス情報が、エラー発生前の通信相手のアドレス情報と一致すると判断されたときは、送信が完了した頁の次の頁から送信を再開し、送信を再開するために取得したアドレス情報が、エラー発生前の通信相手のアドレス情報と一致しないと判断されたときは、先頭頁から送信を再開する制御ステップと、
を備えることを特徴とするファクシミリ装置の制御方法。
【請求項１０】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置の制御方法であって、
画像データの送信中にエラーが発生した後、送信を再開するためにアドレス情報を取得する取得ステップと、
前記取得ステップが取得したアドレス情報が示す通信相手に、送信が完了した頁の次の頁から送信を再開する制御ステップと、
前記取得ステップが取得したアドレス情報が、エラー発生前の通信相手のアドレス情報と一致するか否かを判断する判断ステップと、
前記判断ステップによる判断の結果、前記取得ステップが取得したアドレス情報が、エラー発生前の通信相手のアドレス情報と一致しないと判断された場合に、前記取得ステップが取得したアドレス情報が示す通信相手に対して、前半の頁が別の装置に送信された旨を通知する第１の通知ステップと、
前記判断ステップによる判断の結果、前記取得ステップが取得したアドレス情報が、エラー発生前の通信相手のアドレス情報と一致しないと判断された場合に、エラー発生前の通信相手に対して後半の頁が別の装置に送信された旨を通知する第２の通知ステップと、
を備えることを特徴とするファクシミリ装置の制御方法。
【請求項１１】
ＳＩＰ（Ｓｅｓｓｉｏｎ  Ｉｎｉｔｉａｔｉｏｎ  Ｐｒｏｔｏｃｏｌ）に従って通信相手と接続し、画像データを送信するファクシミリ装置の制御方法であって、
画像データの送信中にエラーが発生した後、送信を再開するためにアドレス情報を取得する取得ステップと、
前記取得ステップが取得したアドレス情報が、エラー発生前の通信相手のアドレス情報と一致するか否かを判断する判断ステップと、
前記判断ステップによる判断の結果、前記取得ステップが取得したアドレス情報が、エラー発生前の通信相手のアドレス情報と一致しないと判断された場合に、エラー発生前の通信相手に対して送信が完了した頁の次の頁から送信を再開するとともに、前記取得ステップが取得したアドレス情報が示す通信相手に対して所定の通知を行うよう制御する制御ステップと、
を備えることを特徴とするファクシミリ装置の制御方法。
【請求項１２】
請求項１に記載のファクシミリ装置の制御方法をコンピュータにより実行させるためのコンピュータで読み取り可能なプログラム。
【請求項１３】
請求項３に記載のファクシミリ装置の制御方法をコンピュータにより実行させるためのコンピュータで読み取り可能なプログラム。
【請求項１４】
請求項６に記載のファクシミリ装置の制御方法をコンピュータにより実行させるためのコンピュータで読み取り可能なプログラム。
【請求項１５】
請求項７に記載のファクシミリ装置の制御方法をコンピュータにより実行させるためのコンピュータで読み取り可能なプログラム。